(57)【要約】【課題】スキャナで使用するＢＷモノクロセンサに対応しているフィルタが、ＲＧＢカラーセンサで使用されるＧｒｅｅｎフィルタに類似する特性を有しており、青色および赤色帯域の一部の情報が欠落する現象が発生する。このため、モノクロ読み取りモードで原稿を読み取りファックス送信を行った場合、送信画像において、原稿の薄青画像部分の再現性が低下する、という課題がある。【解決手段】送信ジョブ実行時に、送信宛先にファックス送信が含まれるか否かを判断し、ファックス送信が含まれる場合は、ジョブ設定のカラーモードが白黒２値で指定されている場合でも、スキャナではＲＧＢセンサによる原稿のカラー読み取りを行い、色空間変換処理によりカラーの読み取り画像からモノクロ画像を生成することで、スキャナのセンサ特性による薄青再現性の低下を解決する。【選択図】  図７
2015023528.tif 000002
【特許請求の範囲】
【請求項１】
原稿を読み取って画像データを生成する画像形成装置（２２０）であって、
前記原稿をカラー読み取りするか、モノクロ読み取りするかの指示を行う制御手段（２００１）と、
前記制御手段により、カラー読み取りする指示が指定された場合に、前記原稿をＲＧＢセンサを用いてカラー読み取りを行い、前記制御手段により、モノクロ読み取りする指示が指定された場合に、前記原稿をＢＷセンサを用いてモノクロ読み取りを行う入力手段（２０７０）と、
画像データをネットワークや公衆回線に送信する送信手段（２０１０、２０５０）と、
ジョブの設定を指定する設定手段（２０１２）と、
カラー画像データからモノクロ画像データを生成する色空間変換手段（２０３２）を持ち、
設定手段から指定されるジョブの設定において、ファックス送信を宛先に含む送信ジョブが設定されている場合（Ｓ０７０３）、モノクロによる原稿読み取りが指定されている場合（Ｓ０７０２）でも、入力手段ではカラーによる原稿読み取りを行い（Ｓ０７０４）、色空間変換手段によりカラーの読み取り画像をモノクロの読み取り画像に変換し（Ｓ０７０６）、モノクロ画像データを生成することを特徴とする画像形成装置。
【請求項２】
設定手段から指定されるジョブの設定に応じて、読み取り画像に対してダイレクトマッピングの画像補正処理を行う補正処理手段（２０８０）を更に有し、
設定手段から指定されるジョブの設定において、ファックス送信を宛先に含む送信ジョブが設定されている場合（Ｓ０７０３）、入力手段でカラーによる原稿読み取りを行い（Ｓ０７０４）、補正処理手段により特定の色域を強調する補正処理（Ｓ０７０５）を行った後、色空間変換手段によりカラーの読み取り画像をモノクロの読み取り画像に変換し（Ｓ０７０６）、モノクロ画像データを生成することを特徴とする請求項１に記載の画像形成装置。
【請求項３】
設定手段から指定されるジョブの設定において、ファックス送信を宛先に含む送信ジョブが設定されている場合（Ｓ０７０３）、読み取り画像の薄青の色域を強調する補正処理を行うこと（Ｓ０７０５）を特徴とする請求項１又は請求項２に記載の画像形成装置。
【発明の詳細な説明】
【技術分野】
【０００１】
本発明は、ファックス送信時にスキャナを用いて、画像データからモノクロ送信画像を得るための画像処理装置、制御方法、およびプログラムに関する。
【背景技術】
【０００２】
近年、マルチファンクションの複写機では、モノクロ印刷のみが可能なモノクロ複写機においても、カラー読み取りが可能なスキャナが搭載されている。カラー読み取りが可能なスキャナでは、原稿をＲＧＢカラーセンサで読み取るカラー読み取りモードと、原稿をＢＷモノクロセンサで読み取るモノクロ読み取りモードを備えている。
【０００３】
特許文献１では、原稿を読み取ってモノクロ画像出力を行う際に、カラー読み取りを行いモノクロ出力を行うか、モノクロ読み取りを行いモノクロ出力を行うかの、選択を可能とする画像処理装置が提案されている。
【先行技術文献】
【特許文献】
【０００４】
【特許文献１】特開２０１０−２２６５２９号公報
【発明の概要】
【発明が解決しようとする課題】
【０００５】
現在のモノクロ複写機においては、ファックス送信などの白黒２値画像を送信する処理においては、原稿をモノクロ読み取りモードでスキャナから読み取り、送信処理を行っている。しかし、モノクロ読み取りモードで読み取ってファックス送信を行った場合、送信画像において、原稿の薄青画像部分の再現性が低いという課題がある。これはＢＷモノクロセンサに使用されているフィルタが、ＲＧＢカラーセンサのＧｒｅｅｎフィルタに類似する特性を有しており、青色および赤色帯域の一部の情報が欠落してしまうためである。
【０００６】
本発明は、上記問題を解決するためになされたものであり、ファックス送信などの白黒２値画像を送信する処理において、送信画像における原稿画像の薄青画像部分の再現性を向上させる画像形成装置を実現する。
【課題を解決するための手段】
【０００７】
原稿を読み取って画像データを生成する画像形成装置（２２０）であって、
前記原稿をカラー読み取りするか、モノクロ読み取りするかの指示を行う制御手段（２００１）と、
前記制御手段により、カラー読み取りする指示が指定された場合に、前記原稿をＲＧＢセンサを用いてカラー読み取りを行い、前記制御手段により、モノクロ読み取りする指示が指定された場合に、前記原稿をＢＷセンサを用いてモノクロ読み取りを行う入力手段（２０７０）と、
画像データをネットワークや公衆回線に送信する送信手段（２０１０、２０５０）と、
ジョブの設定を指定する設定手段（２０１２）と、
カラー画像データからモノクロ画像データを生成する色空間変換手段（２０３２）を持ち、
設定手段から指定されるジョブの設定において、ファックス送信を宛先に含む送信ジョブが設定されている場合（Ｓ０７０３）、モノクロによる原稿読み取りが指定されている場合（Ｓ０７０２）でも、入力手段ではカラーによる原稿読み取りを行い（Ｓ０７０４）、色空間変換手段によりカラーの読み取り画像をモノクロの読み取り画像に変換し（Ｓ０７０６）、モノクロ画像データを生成すること、を特徴とする画像形成装置。
【発明の効果】
【０００８】
本発明により、ファックス送信などの白黒２値画像を送信する処理において、原稿画像の薄青画像部分の再現性を向上させた画像を送信することが可能となる。
【図面の簡単な説明】
【０００９】
【図１】実施例における、画像形成システムの全体構成を示す図
【図２】実施例における、画像形成装置の全体構成を示す図
【図３】実施例における、スキャナ画像処理のブロック図
【図４】実施例における、画像形成装置の入出力デバイス外観図
【図５】実施例における、画像形成装置の操作部外観図
【図６】実施例における、操作部の説明図
【図７】実施例における、画像送信処理の流れを表したフローチャート
【発明を実施するための形態】
【００１０】
以下、本発明を実施するための最良の形態について図面を用いて説明する。
【００１１】
［実施例１］
本発明の第一の実施形態について説明する。本実施形態では、読み取り画像の送信先が指定可能なシステムにおいて、送信先設定に応じて読み取りモードを変更する手法について説明する。
【００１２】
図１は、本発明の実施例を示す画像形成装置システムの全体の構成を説明するブロック図である。本画像形成装置２００は、画像入力デバイスであるスキャナ部２０７０、画像出力デバイスであるプリンタ部２０９５、コントローラユニット２０００、ユーザーインターフェースである操作部２０１２から構成される。スキャナ部２０７０、プリンタ部２０９５、操作部２０１２は、それぞれコントローラユニット２０００に接続され、コントローラユニット２０００は、ＬＡＮ２０１１などのネットワーク伝送手段、公衆回線に接続されている。
【００１３】
公衆回線からはカラー画像送信を含むＧ３、Ｇ４ファックスによる送信が可能である。また、ＬＡＮ２０１１には、画像形成装置２００と同様の機器構成をもつ他の画像形成装置２２０、２３０が接続されえている。また、パーソナルコンピュータ（以下ＰＣ）２４０が接続されていて、ＦＴＰ、ＳＭＢプロトコルを使用したファイルの送受信、電子メールの送受信ができる。画像形成装置２２０、２３０は、それぞれスキャナ部２２７０、２３７０、プリンタ部２２９５、２３９５、操作部２２１２、２３１２を持ち、それらがコントローラユニット２２００、２３００に接続されている。
【００１４】
図２は、画像形成装置の構成を説明するブロック図である。コントローラユニット２０００は画像入力デバイスであるスキャナ２０７０や画像出力デバイスであるプリンタ２０９５と接続する。また一方ではＬＡＮ２０１１や公衆回線（ＷＡＮ）２０５１接続することで、画像情報やデバイス情報の入出力を行う為のコントローラである。ＣＰＵ２００１はシステム全体を制御するコントローラである。ＲＡＭ２００２はＣＰＵ２００２が動作するためのシステムワークメモリであり、画像データを一時記憶するための画像メモリでもある。
【００１５】
ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００６は操作部（ＵＩ）２０１２とのインタフェース部で、操作部２０１２に表示する画像データを操作部２０１２に対して出力する。また、操作部２０１２から本システム使用者が入力した情報を、ＣＰＵ２００１に伝える役割をする。Ｎｅｔｗｏｒｋ２０１０はＬＡＮ２０１１に接続し、情報の入出力を行う。Ｍｏｄｅｍ２０５０は公衆回線２０５１に接続し、画像情報の入出力を行う。
【００１６】
以上のデバイスがシステムバス２００７上に配置される。ＩｍａｇｅＢｕｓＩ／Ｆ２００５はシステムバス２００７と画像データを高速で転送する画像バス２００８を接続し、データ構造を変換するバスブリッジである。画像バス２００８は、ＰＣＩバス、ＰＣＩ  ＥｘｐｒｅｓｓバスまたはＩＥＥＥ１３９４で構成される。画像バス２００８上には以下のデバイスが配置される。ラスターイメージプロセッサ（ＲＩＰ）２０６０はＰＤＬコードをビットマップイメージに展開する。デバイスＩ／Ｆ部２０２０は、画像入出力デバイスであるスキャナ２０７０やプリンタ２０９５とコントローラ２０００を接続し、画像データの同期系／非同期系の変換を行う。スキャナ画像処理部２０８０は、入力画像データに対し補正、加工、編集を行う。また入力された画像がカラー原稿か白黒原稿かを画像の彩度信号から判断しその結果を保持する機能を有する。プリンタ画像処理部２０９０は、出力画像データに対し補正、加工、編集を行う。
【００１７】
画像回転２０３０はスキャナ画像処理と連携して、スキャナからの画像読み込みと同時に画像を回転しメモリ上に格納することができる。また、メモリ上にある画像を回転し、メモリ上に格納、もしくはメモリ上にある画像をプリンタ画像処理部と連携して回転しながら印字出力することもできる。解像度変換２０３１はメモリ上にある画像を解像度変換処理し、メモリ上に格納する。色空間変換２０３２はマトリクス演算により、たとえばメモリ上にあるＹＵＶ画像をＬａｂ画像に変換し、メモリ上に格納する。階調変換２０３３はたとえばメモリ上にある８ｂｉｔ、２５６階調の画像を誤差拡散処理などの手法により１ｂｉｔ、２階調に変換し、メモリ上に格納する。画像圧縮部２０４０は、多値画像データはＪＰＥＧ、２値画像データはＪＢＩＧ、ＭＭＲ、ＭＲ、ＭＨの圧縮伸張処理を行う。
画像回転２０３０、解像度変換２０３１、色空間変換２０３２、階調変換２０３３、画像圧縮２０４０はそれぞれ連結して動作することが可能で、たとえばメモリ上の画像を画像回転、解像度変換する場合は、両処理についてメモリを介さずに行うことができる。
【００１８】
画像入出力デバイスを図３に示す。画像入力デバイスであるスキャナ部２０７０は、原稿となる紙上の画像を照明し、ＣＣＤラインセンサもしくはＣＩＳラインセンサ（図示せず）を走査することで、ラスターイメージデータ２０７１として電気信号に変換する。原稿用紙は原稿フィーダ２０７２のトレイ２０７３にセットし、装置使用者が操作部２０１２から読み取り起動指示することにより、読み取りが行われる。コントローラＣＰＵ２００１がスキャナ２０７０に指示を与え（２０７１）、フィーダ２０７２は原稿用紙を１枚ずつフィードし原稿画像の読み取り動作を行う。
【００１９】
画像出力デバイスであるプリンタ部２０９５は、ラスターイメージデータ２０９６を用紙上の画像に変換する部分である。その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ２００１からの指示によって開始する。プリンタ部２０９５には、異なる用紙サイズまたは異なる用紙向きを選択できるように複数の給紙段を持ち、それに対応した用紙カセット２１０１、２１０２、２１０３、２１０４がある。また、排紙トレイ２１１１は印字し終わった用紙を受けるものである。
【００２０】
操作部２０１２の構成を図４に示す。ＬＣＤ表示部２０１３は、ＬＣＤ上にタッチパネルシート２０１９が貼られており、システムの操作画面およびソフトキーを表示するとともに、表示してあるキーが押されるとその位置情報をコントローラＣＰＵ２００１に伝える。スタートキー２０１４は原稿画像の読み取り動作を開始する時などに用いる。スタートキー２０１４中央部には、緑と赤の２色ＬＥＤ２０１８があり、その色によってスタートキー２０１４が使える状態にあるかどうかを示す。ストップキー２０１５は稼働中の動作を止める働きをする。ＩＤキー２０１６は、使用者のユーザＩＤを入力する時に用いる。リセットキー２０１７は操作部からの設定を初期化する時に用いる。
【００２１】
図５は、本発明の実施例を示す画像形成装置システムの操作部の構成を説明するブロック図である。画像形成装置において、２００１は制御ＣＰＵで、２００３のプログラム用ＲＯＭに記憶された制御プログラム等に基づいてシステムバス２００７に接続される各種デバイスとのアクセスを総括的に制御する。また、画像入力部インタフェース２０７１を介して接続されるスキャナ２０７０から入力情報を読み込み、印刷部インタフェース２０９６を介して接続される印刷部２０９５に出力情報としての画像信号を出力する。２００２は２００１のＣＰＵの主メモリ、ワークエリア等として機能するＲＡＭである。２０１９のタッチパネル、２０１４〜２０１７のハードキーから、ユーザ入力を受け取り操作入力部Ｉ／Ｆ２００６１を介して、操作内容を取得する。取得した操作内容と前述の制御プログラムにもとづいて、ＣＰＵ２００１において表示画面データが生成され、画面出力デバイスを制御する出力デバイスコントローラ２００６２を介して、ＬＣＤやＣＲＴなどの画面出力デバイス２０１３に表示画面を出力する。
【００２２】
次に本発明の実施例について、ＬＣＤ表示面２０１３に表示される画面を用いて説明する。
【００２３】
図６は、本実施例の画像形成装置における、送信機能の初期画面である。送信機能は、スキャンした画像を画像形成装置からファックスや電子メール、ＦＴＰなどで送信する機能である。０６０１は、送信機能の設定を行うため画面である。０６０２は画像を送信する宛先を設定するボタンであり、０６０３のアドレス帳からの選択、０６０４のワンタッチボタンからの選択、０６０５での新規宛先に入力から、選択して設定される。０６０５の新規宛先の入力では、０６０６のＥメール送信、０６０７のファックス送信、０６０８のインターネットファックス送信、０６０９のＦＴＰ、ＳＭＢ、ＷｅｂＤＡＶによるファイル送信、０６１０のボックス機能への保存が、送信先として設定可能である。
【００２４】
また、送信先には複数の異なる送信先を設定可能であり、例えばＥメール送信とファックス送信の両方を宛先に設定し、双方にスキャン画像を送信することが可能である。アドレス帳０６０３では、画像形成装置に予め登録された宛先アドレスから送信先を選択して設定可能であり、ワンタッチボタン０６０４では、予め登録された送信先を選択して設定可能である。いずれの場合も、新規に宛先を入力する際と同様に、Ｅメール送信、ファックス送信、インターネットファックス送信、ファイル送信、ボックス保存が送信先として設定可能である。０６１１から０６１５では、スキャン画像送信における画像処理の設定を行う。０６１１は原稿の読み取りカラーモードを設定する項目であり、白黒２値／グレー／フルカラー／自動カラー選択（ＡＣＳ）が設定可能である。０６１２は原稿の読み取り解像度を指定する項目である。
【００２５】
解像度は、１００×１００ｄｐｉ／１５０×１５０ｄｐｉ／２００×１００ｄｐｉ／２００×２００ｄｐｉ／２００×４００ｄｐｉ／３００×３００ｄｐｉ／４００×４００ｄｐｉ／６００×６００ｄｐｉの８種類から選択可能である。０６１３は原稿のサイズを設定する項目である。０６１４は送信画像のファイル形式を設定する項目であり、ＪＰＥＧ、ＴＩＦＦ、ＰＤＦ、ＸＰＳなどのファイル形式が選択可能である。０６１５は、その他の設定項目を指定するボタンであり、選択すると他の設定項目を指定する画面が表示される。
【００２６】
次に本実施例における、原稿をスキャナから読み取り、送信する処理について説明する。図７に画像送信における処理のフローチャートを示す。この処理は、コントローラユニット２０００において、ＲＯＭ２００３およびＨＤＤ２００４に格納されたプログラムがＲＡＭ２００２に展開され、コントローラＣＰＵ２００１によって実行されるものである。
【００２７】
ステップＳ０７０１において、コントローラＣＰＵ２００１は、操作部２０１２から実行が指示されたジョブが、送信機能画面０６０１から投入されたジョブか否かを判断する（Ｓ０７０１）。
【００２８】
送信ジョブであれば、次にコントローラＣＰＵ２００１は、送信設定画面０６０１のカラーモード設定０６１１で指定された、ジョブの原稿読み取りのカラーモード設定が白黒２値であるか否かを判断する（Ｓ０７０２）。コントローラＣＰＵ２００１は、ステップＳ０７０２で、フルカラーや自動カラー選択（ＡＣＳ）などの白黒２値以外のカラーモードが指定されたと判断した場合、スキャナ２０７０に対してカラースキャンの実行を指示する。これに対応して、スキャナ２０７０は、原稿のＲＧＢカラーセンサによる読み取りを行う（Ｓ０７０９）。
【００２９】
一方、ステップＳ０７０２でカラーモード設定が白黒２値であると判断された場合、コントローラＣＰＵ２００１は、送信機能設定画面０６０１で設定されるスキャン画像の送信宛先に、ファックスが含まれるか否かを判断する（Ｓ０７０３）。ステップＳ０７０３で送信宛先にファックスが含まれると判断された場合、コントローラＣＰＵ２００１はスキャナ２０７０に対して、原稿のカラースキャンによる読み取り実行を指示する（Ｓ０７０４）。これは、スキャナ２０７０でモノクロスキャンによる原稿読み取りを行った場合に発生する、原稿の薄青画像部分の再現性が低下する問題を回避するためである。
【００３０】
スキャナ２０７０のＢＷモノクロセンサが使用するフィルタは、ＲＧＢカラーセンサのＧｒｅｅｎフィルタに類似する特性を有しているため、原稿読み取り時に原稿の青色および赤色帯域の一部の情報の欠落が発生する。このため、スキャナ２０７０のＲＧＢカラーセンサで読み取りを行うことにより、原稿の読み取り速度は低下するが、原稿読み込みにおける原稿の青色および赤色帯域情報の欠落が発生せず、薄青画像部分の再現性低下を回避することが可能となる。次にコントローラＣＰＵ２００１は、ステップＳ０７０４でスキャナ２０７０から読み取ったスキャン画像をスキャナ画像処理部２０８０に送り、ファックス送信用の画像処理を行う（Ｓ０７０５）。
【００３１】
スキャナ画像処理部２０８０では、ダイレクトマッピングにより、スキャン画像の薄青領域を強調する処理を行う。これにより、ファックス送信用の画像形式に変換した際などに、薄青画像部分の再現性が低下する問題を解決する。ステップＳ０７０４でファックス送信用の画像処理が行われた画像に対して、コントローラＣＰＵ２００１は、画像を色空間変換部２０３２に送り、ＲＧＢカラーのスキャン画像データをグレー単色に変換する、モノクロ画像変換処理を行う（Ｓ０７０６）。
【００３２】
一方、コントローラＣＰＵ２００１は、ステップＳ０７０３で送信宛先にファックスが含まれないと判断された場合、スキャナ２０７０に対して、原稿のモノクロスキャンによる読み取り実行を指示する（Ｓ０７０８）。これは、送信宛先にファックスが含まれない場合、薄青画像部分の再現性を高める必要性が低く、スキャナ２０７０でＢＷモノクロセンサによる原稿読み取りを行い、原稿の薄青画像部分の再現性が低下しても問題ないためである。また、多くのスキャナにおいては、ＢＷモノクロセンサによる原稿読み取りの方が、ＲＧＢカラーセンサによる読み取りよりも高速なためである。
【００３３】
次に、コントローラＣＰＵ２００１は、ステップＳ０７０６でモノクロ画像に変換されたスキャン画像、またステップＳ０７０８でスキャナ２０７０から読み取ったスキャン画像を、画像回転部２０３０、解像度変換部２０３１、階調変換部２０３２に送る。各処理部では、スキャン画像の回転処理、解像度変換処理、１ｂｉｔ２階調画像への変換処理を行い、ファックス送信用画像として指定された形式の画像を作成する（Ｓ０７０７）。また、コントローラＣＰＵ２００１は、作成された２値画像データを画像圧縮部２０４０に送り、ＪＢＩＧ、ＭＭＲ、ＭＲ、ＭＨの形式による画像圧縮処理を行う。
【００３４】
コントローラＣＰＵ２００１は、ステップＳ０７０７で作成された送信用の画像を、ＩｍａｇｅＢｕｓＩ／Ｆ２００５やシステムバス２００７を介して、Ｎｅｔｗｏｒｋ２０１０やＭｏｄｅｍ２０５０に送る。コントローラＣＰＵ２００１は、ＬＡＮ２０１１や公衆回線２０５１に対して、送信用画像の送信処理を行う。
【００３５】
コントローラＣＰＵ２００１は、ステップＳ０７０１において、操作部２０１２から実行が指示されたジョブが、送信機能画面０６０１から投入されたジョブか否かを判断する。コントローラＣＰＵ２００１は、投入されたジョブが送信ジョブでは無いと判断した場合、さらにファックス送信機能画面から投入されたジョブか否かを判断する（Ｓ０７１０）。ステップＳ０７１０で投入されたジョブが、ファックス送信機能画面から投入されたファックス送信ジョブであると判断した場合、コントローラＣＰＵ２００１は、スキャナ２０７０に対して、原稿のカラースキャンによる読み取り実行を指示する（Ｓ０７１１）。
【００３６】
これは、ファックス送信ジョブの場合、ジョブの原稿読み取りのカラーモード設定は白黒２値固定であり、また送信宛先がファックスとなるため、原稿の薄青画像部分の再現性が低下する問題を回避することが必要なためである。コントローラＣＰＵ２００１は、送信ジョブの際と同様に、ステップＳ０７１１でスキャナ２０７０から読み取ったスキャン画像をスキャナ画像処理部２０８０に送り、ダイレクトマッピングなどのファックス送信用の画像処理を行う（Ｓ０７１２）。
【００３７】
さらに、ステップＳ０７１２でファックス送信用の画像処理が行われた画像に対して、コントローラＣＰＵ２００１は、画像を色空間変換部２０３２に送り、ＲＧＢカラーのスキャン画像データをグレー単色に変換する、モノクロ画像変換処理を行う（Ｓ０７１３）。コントローラＣＰＵ２００１は、ステップＳ０７１３でモノクロ画像に変換されたスキャン画像に対して、ステップＳ０７０７で画像の回転処理や解像度変換処理、１ｂｉｔ２階調画像への変換処理を行い、ファックス送信用形式の画像を作成する。
【００３８】
コントローラＣＰＵ２００１は、ステップＳ０７１０で投入されたジョブが、ファックス送信機能画面から投入されたジョブか否かを判断する。コントローラＣＰＵ２００１は、ファクス送信ジョブで無いと判断した場合、ジョブの設定で指示されたカラーモードに従って、スキャナ２０７０から原稿を読み取る。コントローラＣＰＵ２００１はステップＳ０７１４において、操作部２０１２から実行が指示されたジョブのカラーモード設定が、白黒２値であるか否かを判断する（Ｓ０７１４）。ステップＳ０７１４で、コントローラＣＰＵ２００１が、ジョブのカラーモード設定が白黒２値であると判断した場合、原稿をスキャナ２０７０のＲＧＢカラーセンサで読み取り必要が無いため、ＢＷモノクロセンサによる原稿読み取りを行う（Ｓ０７１５）。
【００３９】
一方、ステップＳ０７１４で、コントローラＣＰＵ２００１が、ジョブのカラーモード設定が白黒２値以外であると判断した場合、原稿をスキャナ２０７０のＲＧＢカラーセンサで読み取ることが必要となる。このため、スキャナ２０７０は、ＲＧＢカラーセンサによる原稿読み取りを行う（Ｓ０７１６）。コントローラＣＰＵ２００１は、ステップＳ０７１５およびステップＳ０７１６で、スキャナ２０７０から読み取ったスキャン画像を、画像回転部２０３０、解像度変換部２０３１、階調変換部２０３２に送る。コントローラＣＰＵ２００１は、ジョブの設定に応じて、回転処理、解像度変換処理、階調変換処理を行い、ジョブで指定された形式の画像を作成する（Ｓ０７１７）。
【００４０】
以上が、本発明の画像形成装置での、読み取り画像の送信先が指定可能なシステムにおいて、ジョブの送信先設定に応じて原稿の読み取りモードを変更する手法の説明である。本手法により、ファックス送信などの白黒２値画像を送信する処理において、原稿画像の薄青画像部分の再現性を向上させた画像を送信することが可能となる。
【符号の説明】
【００４１】
２００  画像形成装置
２０７０  スキャナ部
２０９５  プリンタ部
２０００  コントローラユニット
２０１２  操作部
【図１】
2015023528.tif 000003
【図２】
2015023528.tif 000004
【図３】
2015023528.tif 000005
【図４】
2015023528.tif 000006
【図５】
2015023528.tif 000007
【図６】
2015023528.tif 000008
【図７】
2015023528.tif 000009